(57)【要約】【課題】本発明は、ビデオ信号品質が高いビデオ装置及びビデオ回路を提供する。【解決手段】本発明に係るビデオ装置は、ビデオ信号を送信するためのインタフェースユニットと、前記ビデオ信号に対応する映像を表示するためのディスプレイと、前記インタフェースユニットと前記ディスプレイとの間に接続されるビデオ回路と、を備える。前記ビデオ回路は、表示回路及び該表示回路に接続される補償回路を備え、前記表示回路は、ユーザーの操作に応じてビデオ装置をビデオ入力モードに切り替え且つインタフェースユニットから送信されたビデオ信号を受信し、さらに一部のビデオ信号を濾過し、前記補償回路は、ビデオ装置がビデオ入力モードに切り替えられる場合、表示回路によって濾過されたビデオ信号に所定量の直流電を追加し、ビデオ信号の損失を補償する。【選択図】図２
2013223241.tif 000002
【特許請求の範囲】
【請求項１】
ビデオ信号を送信するためのインタフェースユニットと、前記ビデオ信号に対応する映像を表示するためのディスプレイと、前記インタフェースユニットと前記ディスプレイとの間に接続されるビデオ回路と、を備えるビデオ装置において、
前記ビデオ回路は、表示回路及び該表示回路に接続される補償回路を備え、
前記表示回路は、ユーザーの操作に応じてビデオ装置をビデオ入力モードに切り替え且つインタフェースユニットから送信されたビデオ信号を受信し、さらに一部のビデオ信号を濾過し、
前記補償回路は、ビデオ装置がビデオ入力モードに切り替えられる場合、表示回路によって濾過されたビデオ信号に所定量の直流電圧を印加し、ビデオ信号の損失を補償することを特徴とするビデオ装置。
【請求項２】
前記表示回路は、第一コンデンサ、ビデオスイッチャー、第一抵抗、第二抵抗、第二コンデンサ及びビデオドライバを備え、
前記第一コンデンサ、ビデオスイッチャー、第一抵抗及び第二コンデンサは、前記インタフェースユニットとビデオドライバとの間に順次に直列接続され、
前記第二抵抗の一端は、前記第二コンデンサと前記第一抵抗との間に接続され、
前記第二抵抗の他端は、接地され、
前記ビデオスイッチャーは、電源に接続され且つユーザーの操作に応じてビデオ装置をビデオ入力モードに切り替え、
さらにビデオスイッチャーの許容電圧範囲は、所定の電圧範囲であることを特徴とする請求項１に記載のビデオ装置。
【請求項３】
前記補償回路は、マイクロコントローラ、第三抵抗、トランジスタ、第四抵抗及びダイオードを備え、
前記トランジスタのエミッタは、前記ビデオスイッチャーの出力ポートに接続され、
前記トランジスタのベースは、第三抵抗を介してマイクロコントローラに接続され、
前記トランジスタのコレクタは、第四抵抗及びダイオードを介して前記ビデオスイッチャーの入力ポートに接続されることを特徴とする請求項２に記載のビデオ装置。
【請求項４】
前記電源、第四抵抗、ダイオード、ビデオスイッチャー、第一抵抗、第二抵抗及び接地端は、電流回路を構成し、ビデオスイッチャーにおける直流電流値は、以下の式によって計算され、
ＵＶ＝（Ｕ１−ＵＤ）×（Ｒ３９＋Ｒ４２）／（Ｒ２＋Ｒ３９＋Ｒ４２）
その中で、Ｕ１は、電源の電圧値であり、ＵＤは、ダイオードの電圧値であり、Ｒ３９は、第一抵抗の抵抗値であり、Ｒ４２は、第二抵抗の抵抗値であり、Ｒ２は、第四抵抗の抵抗値であることを特徴とする請求項３に記載のビデオ装置。
【請求項５】
インタフェースユニットによってビデオ信号を伝送するビデオ回路において、
前記ビデオ回路は、表示回路及び該表示回路に接続される補償回路を備え、
前記表示回路は、ユーザーの操作に応じてビデオ装置をビデオ入力モードに切り替え且つインタフェースユニットから送信されたビデオ信号を受信し、さらに一部のビデオ信号を濾過し、
前記補償回路は、ビデオ装置がビデオ入力モードに切り替えられる場合、表示回路によって濾過されたビデオ信号に所定量の直流電を追加し、ビデオ信号の損失を補償することを特徴とするビデオ回路。
【発明の詳細な説明】
【技術分野】
【０００１】
本発明は、ビデオ装置及びビデオ回路に関し、特にビデオ信号品質を向上することができるビデオ装置及びビデオ回路に関するものである。
【背景技術】
【０００２】
現在、テレビなどのビデオ装置のビデオ信号の品質に対して広く注目が向けられている。図１を参照すると、従来のビデオ装置１０は、ビデオスイッチャー１１、インタフェースユニット１２、ディスプレイ１３、コンデンサＥＣ、抵抗Ｒ３８、抵抗Ｒ４１、コンデンサＣ４０及びビデオドライバ１４を備える。ビデオ信号がインタフェースユニット１２及びコンデンサＥＣを介してビデオスイッチャー１１に送信される場合、ビデオ信号の中の直流成分は、コンデンサＥＣによって濾過され、ビデオ信号の中の交流成分は、ビデオスイッチャー１１に流れる。しかし、前記交流信号は、正信号及び負信号を備え（即ち、０より大きい信号の振幅及び０より小さい信号の振幅を備える）、ビデオスイッチャー１１の許容電圧範囲は、０Ｖ〜３．３Ｖのみであるため、交流信号の中の正信号は、ビデオスイッチャー１１、抵抗Ｒ３８、抵抗Ｒ４１、コンデンサＣ４０を通過してビデオドライバ１４に送信されることができるが、交流信号の中の負信号は、ビデオスイッチャー１１によって濾過される。従って、ディスプレイ１３に表示されるビデオ画像は、歪みを発生し易い。
【発明の概要】
【発明が解決しようとする課題】
【０００３】
前記課題を解決するために、本発明は、ビデオ信号品質が高いビデオ装置及びビデオ回路を提供する。
【課題を解決するための手段】
【０００４】
本発明に係るビデオ装置は、ビデオ信号を送信するためのインタフェースユニットと、前記ビデオ信号に対応する映像を表示するためのディスプレイと、前記インタフェースユニットと前記ディスプレイとの間に接続されるビデオ回路と、を備える。前記ビデオ回路は、表示回路及び該表示回路に接続される補償回路を備え、前記表示回路は、ユーザーの操作に応じてビデオ装置をビデオ入力モードに切り替え且つインタフェースユニットから送信されたビデオ信号を受信し、さらに一部のビデオ信号を濾過し、前記補償回路は、ビデオ装置がビデオ入力モードに切り替えられる場合、表示回路によって濾過されたビデオ信号に所定量の直流電を追加し、ビデオ信号の損失を補償する。
【０００５】
本発明に係るビデオ回路は、インタフェースユニットによってビデオ信号を伝送し、前記ビデオ回路は、表示回路及び該表示回路に接続される補償回路を備え、前記表示回路は、ユーザーの操作に応じてビデオ装置をビデオ入力モードに切り替え且つインタフェースユニットから送信されたビデオ信号を受信し、さらに一部のビデオ信号を濾過し、前記補償回路は、ビデオ装置がビデオ入力モードに切り替えられる場合、表示回路によって濾過されたビデオ信号に所定量の直流電を追加し、ビデオ信号の損失を補償する。
【発明の効果】
【０００６】
従来の技術と比べ、本発明に係るビデオ装置及びビデオ回路は、補償回路を増加することによってビデオ信号の損失を補償し、ビデオ信号の歪みを減らすことができる。
【図面の簡単な説明】
【０００７】
【図１】従来のビデオ装置のビデオ回路の回路図である。
【図２】本発明の実施形態に係るビデオ装置のブロック図である。
【図３】図２に示したビデオ装置のビデオ回路の回路図である。
【発明を実施するための形態】
【０００８】
以下、図面を参照して、本発明の実施形態について説明する。
【０００９】
図２を参照すると、本発明の実施形態に係るビデオ装置２００は、ビデオ回路１００、ディスプレイ２０、インタフェースユニット３０を備える。前記ビデオ回路１００は、インタフェースユニット３０とディスプレイ２０との間に接続されている。ビデオ回路１００は、インタフェースユニット３０によって、ビデオ信号を入力／出力する。ビデオ信号は、ビデオ回路１００によってディスプレイ２０に表示される。
【００１０】
前記ビデオ回路１００は、表示回路４０及び補償回路５０を備える。表示回路４０は、補償回路５０の入力ポートと出力ポートとの間に接続されている。ビデオ装置２００が、ユーザーの操作に応じて表示回路４０によってビデオ入力モードに切り替えられると、表示回路４０は、インタフェースユニット３０から送信されたビデオ信号を受信し、且つ一部のビデオ信号を濾過する。補償回路５０は、ビデオ信号を補正するために、表示回路４０によって濾過されたビデオ信号に所定量の直流電圧を印加する。これにより、ビデオ信号の歪みを低減させる。
【００１１】
図３を参照すると、前記インタフェースユニット３０は、第一ポート１、第二ポート２及び第三ポート３を備える。第三ポート３は、接地され、第一ポート１は、表示回路４０に接続されている。
【００１２】
本実施形態において、前記表示回路４０は、コンデンサＥＣ１、ビデオスイッチャー４１、抵抗Ｒ３９、抵抗Ｒ４２、コンデンサＣ４６及びビデオドライバ４２を備える。コンデンサＥＣ１、ビデオスイッチャー４１、抵抗Ｒ３９及びコンデンサＣ４６は、インタフェースユニット３０の第一ポート１とビデオドライバ４２との間に順次に直列接続されている。抵抗Ｒ４２の一端は、コンデンサＣ４６と抵抗Ｒ３９との間に接続され、抵抗Ｒ４２の他端は、接地されている。
【００１３】
ビデオスイッチャー４１は、ユーザの操作に応じて、ビデオ入力モードに切り替えるための切替信号を生成する。前記ビデオスイッチャー４１は、電源Ｕ１に接続され、該電源Ｕ１の電圧は、３．３Ｖである。ビデオスイッチャー４１の許容電圧範囲は、所定の電圧範囲（例えば、０Ｖ〜３．３Ｖである）である。ビデオ信号が、インタフェースユニット３０及びコンデンサＥＣ１を通過してビデオスイッチャー４１に流入する場合、ビデオ信号の中の直流成分は、コンデンサＥＣ１によって濾過され、ビデオ信号の中の交流成分は、ビデオスイッチャー４１に流入する。ビデオスイッチャー４１の許容電圧範囲は、所定の電圧範囲であるため、一部の交流信号は、ビデオスイッチャー４１によって濾過される。例えば、交流信号の中の正信号（即ち、信号の振幅が０より大きい交流信号）は、ビデオスイッチャー４１を通過することができるが、交流信号の中の負信号（即ち、信号の振幅が０より小さい交流信号）は、濾過される。ビデオスイッチャー４１によって濾過された後の交流信号は、抵抗Ｒ３９及びコンデンサＣ４６を介して、ビデオドライバ４２に流入する。
【００１４】
本実施形態において、前記補償回路５０は、マイクロコントローラ５１、抵抗Ｒ１、トランジスタＱ１、抵抗Ｒ２及びダイオードＤ１を備える。トランジスタＱ１のエミッタは、ビデオスイッチャー４１の出力ポート（図示せず）に接続され、トランジスタＱ１のベースは、抵抗Ｒ１を介してマイクロコントローラ５１に接続され、トランジスタＱ１のコレクタは、抵抗Ｒ２及びダイオードＤ１を介してビデオスイッチャー４１の入力ポートに接続されている。
【００１５】
マイクロコントローラ５１は、ユーザーが入力ユニット６０を操作することによって生成したビデオ入力モードの切替信号に応じて、トリガー信号を生成する。該トリガー信号は、抵抗Ｒ１を介してトランジスタＱ１をオンする。これにより、電源Ｕ１、抵抗Ｒ２、ダイオードＤ１、ビデオスイッチャー４１、抵抗Ｒ３９、抵抗Ｒ４２及び接地端は、電流回路を構成する。この時、ビデオスイッチャー４１における直流電流値は、以下の式１によって計算される。
【００１６】
式１：
ＵＶ＝（Ｕ１−ＵＤ）×（Ｒ３９＋Ｒ４２）／（Ｒ２＋Ｒ３９＋Ｒ４２）
【００１７】
前記ＵＤは、ダイオードＤ１の電圧値である。
【００１８】
補償回路５０は、コンデンサＥＣ１及びビデオスイッチャー４１によって濾過されたビデオ信号に前記直流電流値ＵＶを追加し、補償されたビデオ信号は、コンデンサＣ４６を介してビデオドライバ４２に流入し、ビデオドライバ４２は、補償されたビデオ信号に応じて信号を生成し、ディスプレイ２０は、その信号に応じて対応する映像を表示する。
【００１９】
本発明に係るビデオ装置２００及びビデオ回路１００は、補償回路５０を増加することによってビデオ信号の損失を補償し、ビデオ信号の歪みを減らすことができる。
【符号の説明】
【００２０】
１００  ビデオ回路
２００、１０  ビデオ装置
２０、１３  ディスプレイ
３０、１２  インタフェースユニット
４０  表示回路
４１、１１  ビデオスイッチャー
４２、１４  ビデオドライバ
５０  補償回路
５１  マイクロコントローラ
６０  入力ユニット
Ｃ４６、Ｃ４０、ＥＣ、ＥＣ１  コンデンサ
Ｒ３８、Ｒ３９、Ｒ４１、Ｒ４２、Ｒ１、Ｒ２  抵抗
Ｕ１  電源
Ｑ１  トランジスタ
Ｄ１  ダイオード
１  第一ポート
２  第二ポート
３  第三ポート
【図１】
2013223241.tif 000003
【図２】
2013223241.tif 000004
【図３】
2013223241.tif 000005